(57)【要約】【課題】複数の電池を効率的に利用可能な電子機器を提供する。【解決手段】電子機器１は、電池１２と、電池２２と、電池１２に接続された第１装置１００と、電池２２に接続された第２装置２００と、電池２２と第１装置１００とに接続されると共に、電池２２と第１装置１００との導通のオフまたはオンが可能なスイッチ１４と、電池１２と第２装置２００とに接続されると共に、電池１２と第２装置２００との導通のオフまたはオンが可能なスイッチ２４と、ＣＰＵ２０１とを備える。ＣＰＵ２０１は、電池１２の残量が第１の値よりも大きい場合にはスイッチ１４をオフさせ、電池１２の残量が第１の値以下の場合にはスイッチ１４をオンさせる。ＣＰＵ２０１は、電池２２の残量が第２の値よりも大きい場合にはスイッ２４チをオフさせ、電池２２の残量が第２の値以下の場合にはスイッチ２４をオンさせる。【選択図】図２
2012023800.tif 000002
【特許請求の範囲】
【請求項１】
第１の電池と、
第２の電池と、
前記第１の電池に接続された第１の装置と、
前記第２の電池に接続された第２の装置と、
前記第２の電池と前記第１の装置とに接続されると共に、前記第２の電池と前記第１の装置との導通のオフまたはオンが可能な第１のスイッチと、
前記第１の電池と前記第２の装置とに接続されると共に、前記第１の電池と前記第２の装置との導通のオフまたはオンが可能な第２のスイッチと、
前記第１の電池の残量および前記第２の電池の残量を検出する検出手段と、
前記第１の電池の残量が予め定められた第１の値よりも大きい場合には前記第１のスイッチをオフさせ、前記第１の電池の残量が前記第１の値以下の場合には前記第１のスイッチをオンさせ、前記第２の電池の残量が予め定められた第２の値よりも大きい場合には前記第２のスイッチをオフさせ、前記第２の電池の残量が前記第２の値以下の場合には前記第２のスイッチをオンさせるスイッチ制御手段とを備える、電子機器。
【請求項２】
第１の電池と、
第２の電池と、
前記第１の電池に接続された第１の装置と、
前記第２の電池に接続された第２の装置と、
前記第１の電池と前記第２の電池と前記第１の装置と前記第２の装置とに接続されると共に、前記第２の電池と前記第１の装置とを接続状態にし、かつ前記第１の電池と前記第２の装置とを接続状態にする第１の状態と、前記第２の電池と前記第１の装置との接続を遮断状態にし、かつ前記第１の電池と前記第２の装置との接続を遮断状態にする第２の状態とにさせる切換装置と、
前記第１の電池の残量および前記第２の電池の残量を検出する検出手段と、
前記第１の電池の残量が予め定められた第１の値よりも大きく、かつ前記第２の電池の残量が予め定められた第２の値よりも大きい場合には、前記切換装置を前記第２の状態にさせ、前記第１の電池の残量が予め定められた第１の値以下の場合、および前記第２の電池の残量が予め定められた第２の値以下の場合の少なくともいずれかの場合には、前記切換装置を前記第１の状態にさせる切換制御手段とを備える、電子機器。
【請求項３】
前記切換装置は、第１のスイッチと第２のスイッチとを含み、
前記切換制御手段は、前記第１のスイッチおよび前記第２のスイッチの各々を、オンまたはオフさせ、
前記第１のスイッチと前記第２のスイッチとは、
各々がオンすることにより、前記第２の電池と前記第１の装置とを接続状態し、かつ前記第１の電池と前記第２の装置とを接続状態とし、
各々がオフすることにより、前記第２の電池と前記第１の装置との接続を遮断状態とし、かつ前記第１の電池と前記第２の装置との接続を遮断状態とし、
前記第１の状態は、前記第１のスイッチと前記第２のスイッチとをオンさせた状態であり、
前記第２の状態は、前記第１のスイッチと前記第２のスイッチとをオフさせた状態である、請求項２に記載の電子機器。
【請求項４】
前記第１の電池の残量が前記第１の値以下となった場合に第１の通知を行ない、前記第２の電池の残量が前記第２の値以下となった場合に第２の通知を行なう通知装置をさらに備える、請求項１〜３のいずれか１項に記載の電子機器。
【請求項５】
前記通知装置は、前記第２の電池よりも前記第１の電池に近い位置に備えられた第１の光源と、前記第１の電池よりも前記第２の電池に近い位置に備えられた第２の光源とを有し、
前記第１の通知は、前記第１の光源による発光であり、
前記第２の通知は、前記第２の光源による発光である、請求項４に記載の電子機器。
【請求項６】
第１の電池と第２の電池とを備えた電子機器における電力供給制御方法であって、
前記電子機器は、
前記第１の電池に接続された第１の装置と、
前記第２の電池に接続された第２の装置と、
前記第２の電池と前記第１の装置とに接続されると共に、前記第２の電池と前記第１の装置との導通のオフまたはオンが可能な第１のスイッチと、
前記第１の電池と前記第２の装置とに接続されると共に、前記第１の電池と前記第２の装置との導通のオフまたはオンが可能な第２のスイッチとを備え、
前記電力供給制御方法は、
前記第１の電池の残量を検出するステップと、
前記第２の電池の残量を検出するステップと、
前記第１の電池の残量が予め定められた第１の値よりも大きいことに基づき、前記第１のスイッチをオフさせるステップと、
前記第１の電池の残量が前記第１の値以下であることに基づき、前記第１のスイッチをオンさせるステップと、
前記第２の電池の残量が予め定められた第２の値よりも大きいことに基づき、前記第２のスイッチをオフさせるステップと、
前記第２の電池の残量が前記第２の値以下であることに基づき、前記第２のスイッチをオンさせるステップとを備える、電力供給方法。
【請求項７】
第１の電池と第２の電池とを備えた電子機器における電力供給制御方法であって、
前記電子機器は、
前記第１の電池に接続された第１の装置と、
前記第２の電池に接続された第２の装置と、
前記第１の電池と前記第２の電池と前記第１の装置と前記第２の装置とに接続されると共に、前記第２の電池と前記第１の装置とを接続状態にし、かつ前記第１の電池と前記第２の装置とを接続状態にする第１の状態と、前記第２の電池と前記第１の装置との接続を遮断状態にし、かつ前記第１の電池と前記第２の装置との接続を遮断状態にする第２の状態とにさせる切換装置とを備え、
前記電力供給制御方法は、
前記第１の電池の残量を検出するステップと、
前記第２の電池の残量を検出するステップと、
前記第１の電池の残量が予め定められた第１の値よりも大きく、かつ前記第２の電池の残量が予め定められた第２の値よりも大きい場合には、前記切換装置を前記第２の状態にさせるステップと、
前記第１の電池の残量が予め定められた第１の値以下の場合、および前記第２の電池の残量が予め定められた第２の値以下の場合の少なくともいずれかの場合には、前記切換装置を前記第１の状態にさせるステップとを備える、電力供給方法。
【請求項８】
第１の電池と第２の電池とを備えた電子機器を制御するためのプログラムであって、
前記電子機器は、
前記第１の電池に接続された第１の装置と、
前記第２の電池に接続された第２の装置と、
前記第２の電池と前記第１の装置とに接続されると共に、前記第２の電池と前記第１の装置との導通のオフまたはオンが可能な第１のスイッチと、
前記第１の電池と前記第２の装置とに接続されると共に、前記第１の電池と前記第２の装置との導通のオフまたはオンが可能な第２のスイッチとを備え、
前記プログラムは、
前記第１の電池の残量を検出するステップと、
前記第２の電池の残量を検出するステップと、
前記第１の電池の残量が予め定められた第１の値よりも大きいことに基づき、前記第１のスイッチをオフさせるステップと、
前記第１の電池の残量が前記第１の値以下であることに基づき、前記第１のスイッチをオンさせるステップと、
前記第２の電池の残量が予め定められた第２の値よりも大きいことに基づき、前記第２のスイッチをオフさせるステップと、
前記第２の電池の残量が前記第２の値以下であることに基づき、前記第２のスイッチをオンさせるステップとを、前記電子機器に実行させる、プログラム。
【請求項９】
第１の電池と第２の電池とを備えた電子機器を制御するためのプログラムであって、
前記電子機器は、
前記第１の電池に接続された第１の装置と、
前記第２の電池に接続された第２の装置と、
前記第１の電池と前記第２の電池と前記第１の装置と前記第２の装置とに接続されると共に、前記第２の電池と前記第１の装置とを接続状態にし、かつ前記第１の電池と前記第２の装置とを接続状態にする第１の状態と、前記第２の電池と前記第１の装置との接続を遮断状態にし、かつ前記第１の電池と前記第２の装置との接続を遮断状態にする第２の状態とにさせる切換装置とを備え、
前記プログラムは、
前記第１の電池の残量を検出するステップと、
前記第２の電池の残量を検出するステップと、
前記第１の電池の残量が予め定められた第１の値よりも大きく、かつ前記第２の電池の残量が予め定められた第２の値よりも大きい場合には、前記切換装置を前記第２の状態にさせるステップと、
前記第１の電池の残量が予め定められた第１の値以下の場合、および前記第２の電池の残量が予め定められた第２の値以下の場合の少なくともいずれかの場合には、前記切換装置を前記第１の状態にさせるステップとを、前記電子機器に実行させる、プログラム。
【発明の詳細な説明】
【技術分野】
【０００１】
本発明は、電子機器、電力供給方法、およびプログラムに関する。本発明は、特に、複数の電池を備える電子機器、および当該電子機器における電力供給方法、および当該電子機器を制御するためのプログラムに関する。
【背景技術】
【０００２】
従来、ラップトップパソコン等の携帯型の電子機器が知られている。当該電子機器は、電源として、通常、１つの電池を備えている。特許文献１には、このような電子機器として、電池内蔵型電子機器が開示されている。
【０００３】
しかしながら、電池を１つしか備えていない電子機器では、ユーザは当該電子機器の使用中に電池を交換することはできない。
【０００４】
そこで、特許文献２には、少なくとも２つ以上の電池を備える装置が開示されている。当該装置は、電池の電圧を監視し、基準電圧レベル以上で最も少ない残量の電池を優先して選択し、この電池に切換える。そして、選択された電池が基準電圧レベルよりも低くなった場合、上記装置は、基準電圧レベル以上の他の電池を選択する。
【０００５】
また、特許文献２には、主電池と予備の副電池とを備え、主電池の電圧レベルが予め設定された電圧レベルを下回った場合に、副電池に切換えることにより主電池を交換可能とした構成も開示されている。
【先行技術文献】
【特許文献】
【０００６】
【特許文献１】特開平３−１２０５１５号公報
【特許文献２】特開２０００−３２１００号公報
【発明の概要】
【発明が解決しようとする課題】
【０００７】
しかしながら、特許文献２の技術は、２つの電池の残量に差があれば残量の少ない方の電池が選択される構成であり、２つの電池が同時に選択される構成ではない。
【０００８】
それゆえ、従来の構成では、複数の電池を効率的に利用することはできない。
本願発明は、上記の問題点に鑑みなされたものであって、その目的は、複数の電池を効率的に利用可能な電子機器、当該電子機器における電力供給方法、および当該電子機器を制御するためのプログラムを提供することにある。
【課題を解決するための手段】
【０００９】
本発明のある局面に従うと、電子機器は、第１の電池と、第２の電池と、第１の電池に接続された第１の装置と、第２の電池に接続された第２の装置と、第２の電池と第１の装置とに接続されると共に、第２の電池と第１の装置との導通のオフまたはオンが可能な第１のスイッチと、第１の電池と第２の装置とに接続されると共に、第１の電池と第２の装置との導通のオフまたはオンが可能な第２のスイッチと、第１の電池の残量および第２の電池の残量を検出する検出手段と、第１の電池の残量が予め定められた第１の値よりも大きい場合には第１のスイッチをオフさせ、第１の電池の残量が第１の値以下の場合には第１のスイッチをオンさせ、第２の電池の残量が予め定められた第２の値よりも大きい場合には第２のスイッチをオフさせ、第２の電池の残量が第２の値以下の場合には第２のスイッチをオンさせるスイッチ制御手段とを備える。
【００１０】
本発明の他の局面に従うと、電子機器は、第１の電池と、第２の電池と、第１の電池に接続された第１の装置と、第２の電池に接続された第２の装置と、第１の電池と第２の電池と第１の装置と第２の装置とに接続されると共に、第２の電池と第１の装置とを接続状態にし、かつ第１の電池と第２の装置とを接続状態にする第１の状態と、第２の電池と第１の装置との接続を遮断状態にし、かつ第１の電池と第２の装置との接続を遮断状態にする第２の状態とにさせる切換装置と、第１の電池の残量および第２の電池の残量を検出する検出手段と、第１の電池の残量が予め定められた第１の値よりも大きく、かつ第２の電池の残量が予め定められた第２の値よりも大きい場合には、切換装置を第２の状態にさせ、第１の電池の残量が予め定められた第１の値以下の場合、および第２の電池の残量が予め定められた第２の値以下の場合の少なくともいずれかの場合には、切換装置を第１の状態にさせる切換制御手段とを備える。
【００１１】
好ましくは、切換装置は、第１のスイッチと第２のスイッチとを含む。切換制御手段は、第１のスイッチおよび第２のスイッチの各々を、オンまたはオフさせる。第１のスイッチと第２のスイッチとは、各々がオンすることにより、第２の電池と第１の装置とを接続状態し、かつ第１の電池と第２の装置とを接続状態とする。第１のスイッチと第２のスイッチとは、各々がオフすることにより、第２の電池と第１の装置との接続を遮断状態とし、かつ第１の電池と第２の装置との接続を遮断状態とする。第１の状態は、第１のスイッチと第２のスイッチとをオンさせた状態である。第２の状態は、第１のスイッチと第２のスイッチとをオフさせた状態である。
【００１２】
好ましくは、電子機器は、第１の電池の残量が第１の値以下となった場合に第１の通知を行ない、第２の電池の残量が第２の値以下となった場合に第２の通知を行なう通知装置をさらに備える。
【００１３】
好ましくは、通知装置は、第２の電池よりも第１の電池に近い位置に備えられた第１の光源と、第１の電池よりも第２の電池に近い位置に備えられた第２の光源とを有する。第１の通知は、第１の光源による発光である。第２の通知は、第２の光源による発光である。
【００１４】
本発明のさらに他の局面に従うと、電力供給制御方法は、第１の電池と第２の電池とを備えた電子機器における電力供給制御方法である。電子機器は、第１の電池に接続された第１の装置と、第２の電池に接続された第２の装置と、第２の電池と第１の装置とに接続されると共に、第２の電池と第１の装置との導通のオフまたはオンが可能な第１のスイッチと、第１の電池と第２の装置とに接続されると共に、第１の電池と第２の装置との導通のオフまたはオンが可能な第２のスイッチとを備える。電力供給制御方法は、第１の電池の残量を検出するステップと、第２の電池の残量を検出するステップと、第１の電池の残量が予め定められた第１の値よりも大きいことに基づき、第１のスイッチをオフさせるステップと、第１の電池の残量が第１の値以下であることに基づき、第１のスイッチをオンさせるステップと、第２の電池の残量が予め定められた第２の値よりも大きいことに基づき、第２のスイッチをオフさせるステップと、第２の電池の残量が第２の値以下であることに基づき、第２のスイッチをオンさせるステップとを備える。
【００１５】
本発明のさらに他の局面に従うと、電力供給制御方法は、第１の電池と第２の電池とを備えた電子機器における電力供給制御方法である。電子機器は、第１の電池に接続された第１の装置と、第２の電池に接続された第２の装置と、第１の電池と第２の電池と第１の装置と第２の装置とに接続されると共に、第２の電池と第１の装置とを接続状態にし、かつ第１の電池と第２の装置とを接続状態にする第１の状態と、第２の電池と第１の装置との接続を遮断状態にし、かつ第１の電池と第２の装置との接続を遮断状態にする第２の状態とにさせる切換装置とを備える。切換装置は、第１の状態になることにより、第２の電池と第１の装置とを接続状態にし、かつ第１の電池と第２の装置とを接続状態にし、第２の状態になることにより、第２の電池と第１の装置との接続を遮断状態にし、かつ第１の電池と第２の装置との接続を遮断状態にする。電力供給制御方法は、第１の電池の残量を検出するステップと、第２の電池の残量を検出するステップと、第１の電池の残量が予め定められた第１の値よりも大きく、かつ第２の電池の残量が予め定められた第２の値よりも大きい場合には、切換装置を第２の状態にさせるステップと、第１の電池の残量が予め定められた第１の値以下の場合、および第２の電池の残量が予め定められた第２の値以下の場合の少なくともいずれかの場合には、切換装置を第１の状態にさせるステップとを備える。
【００１６】
本発明のさらに他の局面に従うと、プログラムは、第１の電池と第２の電池とを備えた電子機器を制御するためのプログラムである。電子機器は、第１の電池に接続された第１の装置と、第２の電池に接続された第２の装置と、第２の電池と第１の装置とに接続されると共に、第２の電池と第１の装置との導通のオフまたはオンが可能な第１のスイッチと、第１の電池と第２の装置とに接続されると共に、第１の電池と第２の装置との導通のオフまたはオンが可能な第２のスイッチとを備える。プログラムは、第１の電池の残量を検出するステップと、第２の電池の残量を検出するステップと、第１の電池の残量が予め定められた第１の値よりも大きいことに基づき、第１のスイッチをオフさせるステップと、第１の電池の残量が第１の値以下であることに基づき、第１のスイッチをオンさせるステップと、第２の電池の残量が予め定められた第２の値よりも大きいことに基づき、第２のスイッチをオフさせるステップと、第２の電池の残量が第２の値以下であることに基づき、第２のスイッチをオンさせるステップとを、電子機器に実行させる。
【００１７】
本発明のさらに他の局面に従うと、プログラムは、第１の電池と第２の電池とを備えた電子機器を制御するためのプログラムである。電子機器は、第１の電池に接続された第１の装置と、第２の電池に接続された第２の装置と、第１の電池と第２の電池と第１の装置と第２の装置とに接続されると共に、第２の電池と第１の装置とを接続状態にし、かつ第１の電池と第２の装置とを接続状態にする第１の状態と、第２の電池と第１の装置との接続を遮断状態にし、かつ第１の電池と第２の装置との接続を遮断状態にする第２の状態とにさせる切換装置とを備える。プログラムは、第１の電池の残量を検出するステップと、第２の電池の残量を検出するステップと、第１の電池の残量が予め定められた第１の値よりも大きく、かつ第２の電池の残量が予め定められた第２の値よりも大きい場合には、切換装置を第２の状態にさせるステップと、第１の電池の残量が予め定められた第１の値以下の場合、および第２の電池の残量が予め定められた第２の値以下の場合の少なくともいずれかの場合には、切換装置を第１の状態にさせるステップとを、電子機器に実行させる。
【発明の効果】
【００１８】
本発明によれば、複数の電池を効率的に利用可能となる。
【図面の簡単な説明】
【００１９】
【図１】電子機器の外観を示した図である。
【図２】電子機器のハードウェア構成を示した図である。
【図３】スイッチの具体的構成の一例を示した図である。
【図４】電子機器の機能的構成を説明するためのブロック図である。
【図５】電子機器で行なわれる処理の流れを示したフローチャートである。
【図６】他の電子機器のハードウェア構成を示した図である。
【図７】切換装置の具体的構成の一例を示した図である。
【図８】他の電子機器の機能的構成を説明するためのブロック図である。
【図９】他の電子機器で行なわれる処理の流れの前半を示したフローチャートである。
【図１０】他の電子機器で行なわれる処理の流れの後半を示したフローチャートである。
【図１１】スイッチとしてＰ型のパワーＭＯＳＦＥＴを用いた場合における、電子機器のハードウェア構成を示した図である。
【発明を実施するための形態】
【００２０】
以下、図面を参照しつつ、本発明の実施の形態に係る電子機器について説明する。以下の説明では、同一の部品には同一の符号を付してある。それらの名称および機能も同じである。したがって、それらについての詳細な説明は繰り返さない。
【００２１】
［実施の形態１］
図１は、本実施の形態に係る電子機器１の外観を示した図である。図１（ａ）は、電子機器１の正面図である。図１（ｂ）は、電子機器１の裏面図である。
【００２２】
図１（ａ）を参照して、電子機器１は、第１の筐体１００１と、第２の筐体１００２と、第１の筐体１００１と第２の筐体１００２とを接続するヒンジ１００３とを備える。第１の筐体１００１は、液晶ディスプレイ１０１を備える。第２の筐体１００２は、電源ボタン９１と、操作キー９２とを備える。
【００２３】
図１（ｂ）を参照して、電子機器１は、第２の筐体１００２に、電池１２と、電池２２と、ＬＥＤ（Light Emitting Diode）２１２、ＬＥＤ２２２とを備える。ＬＥＤ２１２は、電池２２よりも電池１２に近い位置に備えられている。ＬＥＤ２２２は、電池１２よりも電池２２に近い位置に備えられている。
【００２４】
図２は、電子機器１のハードウェア構成を示した図である。図２を参照して、電子機器１は、充電回路１１と、電池１２と、ダイオード１３と、スイッチ１４と、ＤＣ／ＤＣコンバータ１５と、充電回路２１と、電池２２と、ダイオード２３と、スイッチ２４と、ＤＣ／ＤＣコンバータ２５と、第１装置１００と、第２装置２００とを備える。第１装置１００は、表示装置である。第１装置１００は、液晶ディスプレイ１０１とバックライト１０２とを含む。
【００２５】
充電回路１１は、電池１２を充電するための回路である。充電回路１１には、商用電源からのＡＣ（Alternating Current）電力が、図示しないＡＣアダプタを介して入力される。なお、当該ＡＣアダプタは、汎用Ｉ／Ｏポート２３２と接続される。当該構成により、電子機器１は、ＡＣアダプタが電子機器１に接続されたことを検出する。
【００２６】
電池１２は、経路Ｌ１によって、第１装置１００と接続されている。より詳しくは、電池１２は、ダイオード１３とＤＣ（Direct Current）／ＤＣコンバータ１５とを介して、第１装置１００の液晶ディスプレイ１０１とバックライト１０２とに接続している。電池１２は、当該構成により、液晶ディスプレイ１０１とバックライト１０２とに電力を供給する。
【００２７】
ダイオード１３は、電池１２とＤＣ／ＤＣコンバータ１５とスイッチ１４とスイッチ２４とに接続されている。詳しくは、ダイオード１３は、アノードが電池１２に接続し、かつカソードが第１装置１００とスイッチ１４とスイッチ２４とに接続している。ダイオード１３は、当該構成により、経路Ｌ１を介して、電池１２に電流が流れ込むことを防止することを目的としており、他の手段にて同目的が実現できるのであれば当該他の手段をダイオード代わりに用いてもよい。
【００２８】
ＤＣ／ＤＣコンバータ１５は、電池１２から出力されるＤＣ電圧を予め定められたＤＣ電圧に変換する。ＤＣ／ＤＣコンバータ１５は、当該変換後の電力を液晶ディスプレイ１０１とバックライト１０２とに供給する。
【００２９】
充電回路２１は、電池２２を充電するための回路である。充電回路２１には、商用電源からのＡＣ電力が、図示しないＡＣアダプタを介して入力される。
【００３０】
電池２２は、経路Ｌ２によって、第２装置２００と接続されている。より詳しくは、電池２２は、ダイオード２３とＤＣ／ＤＣコンバータ２５とを介して、第２装置２００に含まれる各構成要素２０１〜２０７,２１２，２２２，２３１，２３２，２４０と接続している。電池２２は、当該構成により、当該各構成要素２０１〜２０７,２１２，２２２，２３１，２３２，２４０に電力を供給する。
【００３１】
ダイオード２３は、電池２２とＤＣ／ＤＣコンバータ２５とスイッチ１４とスイッチ２４とに接続されている。詳しくは、ダイオード２３は、アノードが電池２２に接続され、かつカソードが第２装置２００とスイッチ１４とスイッチ２４とに接続される。ダイオード２３は、当該構成により、経路Ｌ２を介して、電池２２に電流が流れ込むことを防止することを目的としており、他の手段にて同目的が実現できるのであれば当該他の手段をダイオード代わりに用いてもよい。
【００３２】
ＤＣ／ＤＣコンバータ２５は、電池２２から出力されるＤＣ電圧を予め定められたＤＣ電圧に変換する。ＤＣ／ＤＣコンバータ２５は、当該変換後の電力を第２装置２００に供給する。
【００３３】
第２装置２００は、少なくとも、プログラムを実行するＣＰＵ（Central Processing Unit）２０１と、ＲＡＭ（Random Access Memory）２０２と、フラッシュＲＯＭ（Read Only Memory）２０３と、ＨＤＤ（Hard disk drive）２０４と、ディスプレイＩＦ（Interface）２０５と、通信ＩＦ２０６と、ＤＶＤ（Digital Versatile Disc）−ＲＡＭドライブ２０７と、ＬＥＤ２１２と、ＬＥＤ２２２と、ＵＳＢ（Universal Serial Bus）用Ｉ／Ｏ（Input/Output）ポート２３１と、汎用Ｉ／Ｏポート２３２と、電圧検出回路２４０とを含む。
【００３４】
各構成要素２０１〜２０７,２１２，２２２，２３１，２３２，２４０は、相互にデータバスによって接続されている。ＤＶＤ−ＲＡＭドライブ２０７には、ＤＶＤ−ＲＡＭ２０７１が装着される。
【００３５】
フラッシュＲＯＭ２０３は、不揮発性の半導体メモリである。フラッシュＲＯＭ２０３は、電子機器１が生成したデータ、電子機器１の外部装置から取得したデータ等の各種データを揮発的に格納する。フラッシュＲＯＭ２０３には、電池残量に関する、閾値Ｔｈ１と閾値Ｔｈ２とが予め格納されている。なお、閾値Ｔｈ１,Ｔｈ２は、ＨＤＤ２０４に格納されていてもよい。
【００３６】
ＨＤＤ２０４は、各種プログラム、当該プログラムの実行により生成されたデータ等を不揮発的に格納する。
【００３７】
ディスプレイＩＦ２０５は、液晶ディスプレイ１０１に表示データを送信するインターフェイスである。通信ＩＦ２０６は、外部装置と通信を行なうためのインターフェイスである。
【００３８】
ＵＳＢ用Ｉ／Ｏポート２３１は、ＵＳＢ端子を有する外部機器と接続するためのポートである。汎用Ｉ／Ｏポート２３２は、ソフトウェアで任意に入出力を制御できるポート（端子）である。汎用Ｉ／Ｏポート２３２は、ＣＰＵ２０１から端子に信号を出力したり、端子に入力された信号をＣＰＵ２０１に取り込んだりする。
【００３９】
電圧検出回路２４０は、電池１２の出力電圧と、電池２２の出力電圧を検出する。具体的には、電圧検出回路２４０は、電池１２とダイオード１３との間における位置Ｐ１１の電圧と、電池２２とダイオード２３との間における位置Ｐ２１の電圧とを検出する。ＣＰＵ２０１は、電圧検出回路２４０が検出した出力電圧の情報をＲＡＭ２０２に格納する。
【００４０】
ＣＰＵ２０１は、汎用Ｉ／Ｏポート２３２を介して、スイッチ１４とスイッチ２４とに制御信号を送信する。
【００４１】
スイッチ１４は、ダイオード２３とＤＣ／ＤＣコンバータ２５との間の位置Ｐ２２で経路Ｌ２に接続され、ダイオード１３とＤＣ／ＤＣコンバータ１５との間の位置Ｐ１３で経路Ｌ１に接続されている。スイッチ１４は、ＣＰＵ２０１からの制御信号に基づき、接点をオン（閉）またはオフ（開）する。スイッチ１４がオンの場合、電池２２から第１装置１００に電力が供給される。スイッチ１４がオフの場合、電池２２から第１装置１００には電力は供給されない。このように、スイッチ１４は、電池２２と第１装置１００とに接続されているとともに、電池２２と第１装置１００との導通のオフまたはオンが可能である。
【００４２】
スイッチ２４は、ダイオード１３とＤＣ／ＤＣコンバータ１５との間の位置Ｐ１２で経路Ｌ１に接続され、ダイオード２３とＤＣ／ＤＣコンバータ２５との間の位置Ｐ２３で経路Ｌ２に接続されている。スイッチ２４も、スイッチ１４と同様に、ＣＰＵ２０１からの制御信号に基づき、接点をオンまたはオフする。スイッチ２４がオンの場合、電池１２から第２装置２００に電力が供給される。スイッチ２４がオフの場合、電池１２から第２装置２００には電力は供給されない。このように、スイッチ２４は、電池１２と第２装置２００とに接続されているとともに、電池１２と第２装置２００との導通のオフまたはオンが可能である。
【００４３】
ＣＰＵ２０１は、スイッチ１４とスイッチ２４とに対して、のオン・オフ動作を電圧検出回路２４０が検出した電圧に基づき実行させる。当該処理については後述する。ＣＰＵ２０１は、電池１２の残量が閾値Ｔｈ１以下になると、ＬＥＤ２１２を予め定められた態様にて発光させる。また、ＣＰＵ２０１は、電池２２の残量が閾値Ｔｈ２以下になると、ＬＥＤ２２２を予め定められた態様で発光させる。当該発光態様と規定する情報は、予めフラッシュＲＯＭ２０３等に格納されている。
【００４４】
電子機器１における処理は、各ハードウェアおよびＣＰＵ２０１により実行されるソフトウェアによって実現される。このようなソフトウェアは、フラッシュＲＯＭ２０３またはＨＤＤ２０４に予め記憶されている場合がある。また、ソフトウェアは、ＤＶＤ−ＲＡＭ２０７１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＤＶＤ−ＲＡＭドライブ２０７その他の読取装置によりその記憶媒体から読み取られて、あるいは、通信ＩＦを介してダウンロードされた後、フラッシュＲＯＭ２０３またはＨＤＤ２０４に一旦格納される。そのソフトウェアは、ＣＰＵ２０１によってフラッシュＲＯＭ２０３またはＨＤＤ２０４から読み出され、さらにフラッシュＲＯＭ２０３等に実行可能なプログラムの形式で格納される。ＣＰＵ２０１は、そのプログラムを実行する。
【００４５】
同図に示される電子機器１を構成する各構成要素は、一般的なものである。したがって、本発明の本質的な部分は、フラッシュＲＯＭ２０３、ＨＤＤ２０４、ＤＶＤ−ＲＡＭ２０７１その他の記憶媒体に格納されたソフトウェア、あるいはネットワークを介してダウンロード可能なソフトウェアであるともいえる。なお、電子機器１の各ハードウェアの動作は周知であるので、詳細な説明は繰り返さない。
【００４６】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、当該プログラム等をコンピュータが読取可能な一時的でない媒体である。
【００４７】
ここでいうプログラムとは、ＣＰＵにより直接実行可能なプログラムだけでなく、ソースプログラム形式のプログラム、圧縮処理されたプログラム、暗号化されたプログラム等を含む。
【００４８】
図３は、スイッチ１４の具体的構成の一例を示した図である。図３を参照して、スイッチ１４は、Ｐ型のパワーＭＯＳＦＥＴ（Metal-Oxide-Semiconductor Field-Effect Transistor）である。電子機器１では、スイッチ１４のゲートＧが、汎用Ｉ／Ｏポート２３２に接続され、ソースＳが位置Ｐ２２側であり、ドレインＤが位置Ｐ１３側である。ＣＰＵ２０１が、上記制御信号として、ソースＳに印加する電圧よりも一定の値以下の電圧をゲートＧに印加することにより、ソースＳとドレインＤとの間に電流が流れる。
【００４９】
スイッチ２４もスイッチ１４と同様の構成を有する。電子機器１では、スイッチ２４のゲートＧが、汎用Ｉ／Ｏポート２３２に接続され、ソースＳが位置Ｐ１２側であり、ドレインＤが位置Ｐ２３側である。
【００５０】
スイッチ１４およびスイッチ２４にＰ型のパワーＭＯＳＦＥＴを用いた場合は、図３に示した寄生ダイオードによって通常使用時にもう一方の経路へ電流が流れ込むため、たとえば、図１１に示すようにダイオード１６，２６を追加して回路を構成する必要がある。なお、図１１は、スイッチ１４およびスイッチ２４としてＰ型のパワーＭＯＳＦＥＴを用いた場合における、電子機器のハードウェア構成を示した図である。
【００５１】
なお、スイッチ１４およびスイッチ２４は、Ｐ型のパワーＭＯＳＦＥＴに限定されるものではない。スイッチ１４およびスイッチ２４は、ｎ型のパワーＭＯＳＦＥＴであってもよい。スイッチ１４およびスイッチ２４は、パワーＭＯＳＦＥＴ以外のＭＯＳＦＥＴであってもよい。スイッチ１４およびスイッチ２４は、ＣＰＵ２０１からの制御により接点がオン・オフする素子であればよい。
【００５２】
図４は、電子機器１の機能的構成を説明するためのブロック図である。図４を参照して、電子機器１は、電圧検出回路２４０と、スイッチ１４と、スイッチ２４と、液晶ディスプレイ１０１と、記憶装置４００と、ＬＥＤ２１２と、ＬＥＤ２２２と、制御部３００とを備える。
【００５３】
制御部３００は、電池監視部３１０と、スイッチ制御部３２０とを備える。電池監視部３１０は、残量検出部３１１と判断部３１２とを含む。制御部３００および制御部３００に含まれる各構成要素３１０,３１１,３１２,３２０は、機能ブロックである。制御部３００および制御部３００に含まれる各構成要素３１０,３１１,３１２,３２０は、たとえば、ＣＰＵ２０１が記憶装置４００に格納されているプログラムを実行することにより実現される。なお、記憶装置４００は、フラッシュＲＯＭ２０３およびＨＤＤ２０４に対応する。
【００５４】
残量検出部３１１は、電圧検出回路２４０からの出力に基づき、電池１２の残量と電池２２の残量とを検出する。残量検出部３１１は、検出した残量を判断部３１２に送る。
【００５５】
判断部３１２は、電池１２の残量が閾値Ｔｈ１よりも大きいか否かを判断する。また、判断部３１２は、電池２２の残量が閾値Ｔｈ２よりも大きいか否かを判断する。判断部３１２は、判断結果をスイッチ制御部３２０に送る。
【００５６】
スイッチ制御部３２０は、電池１２の残量が閾値Ｔｈ１よりも大きい場合にはスイッチ１４をオフさせ、電池１２の残量が閾値Ｔｈ１以下の場合にはスイッチ１４をオンさせる。それゆえ、電子機器１は、電池１２の残量が少なくなった場合には、電池２２から第１装置１００への給電を行なうことができる。
【００５７】
スイッチ制御部３２０は、電池２２の残量が予め定められた閾値Ｔｈ２よりも大きい場合にはスイッチ２４をオフさせ、電池２２の残量が閾値Ｔｈ２以下の場合にはスイッチ２４をオンさせる。それゆえ、電子機器１は、電池２２の残量が少なくなった場合には、電池１２から第２装置２００への給電を行なうことができる。
【００５８】
したがって、電子機器１は、電池１２の残量が少なくなり、かつ電池２２の残量が少なくなった場合には、第１装置１００および第２装置２００には、各々２つの電池１２，２２から電力が供給される。つまり、第１装置１００および第２装置２００について、２つの電池１２，２２が同時に選択される。したがって、電子機器１は、２つの電池１２，２２を効率的に利用することが可能となる。
【００５９】
判断部３１２が電池１２の残量が閾値Ｔｈ１以下であると判断した場合、制御部３００は、ＬＥＤ２１２を上記予め定められた態様にて発光させる。判断部３１２が電池２２の残量が閾値Ｔｈ２以下であると判断した場合、制御部３００は、ＬＥＤ２２２を上記予め定められた態様にて発光させる。
【００６０】
ところで、図１に示したように、ＬＥＤ２１２は電池１２側に位置しており、ＬＥＤ２２２は電池２２側に位置している。したがって、一方の電池の残量が予め定められた上記閾値以下となった場合、ユーザは、発光したＬＥＤ側に近い電池の残量が当該閾値以下になっていることを容易に判断できる。
【００６１】
なお、充電回路１１，２１（図２参照）は、電池監視部３１０に含まれる図示しない充電制御部により動作が制御される。
【００６２】
図５は、電子機器１で行なわれる処理の流れを示したフローチャートである。図５を参照して、電子機器１の電源ボタンがオンされると、ステップＳ２において、電池１２は第１装置１００に対して電力の供給を開始し、電池２２は第２装置２００に対して電力の供給を開始する。ステップＳ４において、電子機器１は、電池１２の残量および電池２２の残量を検出する。
【００６３】
ステップＳ６において、電子機器１は、電池１２の残量が閾値Ｔｈ１以下であるか否かを判断する。電子機器１は、閾値Ｔｈ１以下であると判断した場合（ステップＳ６においてＹＥＳ）、ステップＳ８において、スイッチ１４をオフからオンに切換える。ステップＳ１０において、電子機器１は、ＬＥＤ２１２を発光させる。電子機器１は、閾値Ｔｈ１以下ではないと判断した場合（ステップＳ６においてＮＯ）、処理をステップＳ１２に進める。
【００６４】
ステップＳ１２においては、電子機器１は、電池２２の残量が閾値Ｔｈ２以下であるか否かを判断する。電子機器１は、閾値Ｔｈ２以下であると判断した場合（ステップＳ１２においてＹＥＳ）、ステップＳ１４において、スイッチ２４をオフからオンに切換える。ステップＳ１６において、電子機器１は、ＬＥＤ２２２を発光させる。電子機器１は、閾値Ｔｈ２以下ではないと判断した場合（ステップＳ１２においてＮＯ）、処理をステップＳ１８に進める。
【００６５】
ステップＳ１８において、電子機器１は、電池１２および電池２２の充電が開始されているか否かを判断する。電子機器１は、充電が開始されていると判断した場合（ステップＳ１８においてＹＥＳ）、ステップＳ２０において、電池１２の残量が閾値Ｔｈ１よりも大きいか否かを判断する。電子機器１は、充電が開始されていないと判断した場合（ステップＳ１８においてＮＯ）、ステップＳ３８に処理を進める。
【００６６】
電子機器１は、閾値Ｔｈ１よりも大きいと判断した場合（ステップＳ２０においてＹＥＳ）、ステップＳ２２において、スイッチ１４がオン状態であるか否かを判断する。電子機器１は、スイッチ１４がオン状態であると判断した場合（ステップＳ２２においてＹＥＳ）、ステップＳ２４において、スイッチ１４をオフに切換える。電子機器１は、ステップＳ２６において、ＬＥＤ２１２の発光を停止する。
【００６７】
電子機器１は、閾値Ｔｈ１以下であると判断した場合（ステップＳ２０においてＮＯ）、処理をステップＳ２８に進める。また、電子機器１は、スイッチ１４がオフであると判断した場合（ステップＳ２２においてＮＯ）、処理をステップＳ２８に進める。ステップＳ２８において、電子機器１は、電池２２の残量が閾値Ｔｈ２よりも大きいか否かを判断する。
【００６８】
電子機器１は、閾値Ｔｈ２よりも大きいと判断した場合（ステップＳ２８においてＹＥＳ）、ステップＳ３０において、スイッチ２４がオン状態であるか否かを判断する。電子機器１は、スイッチ２４がオン状態であると判断した場合（ステップＳ３０においてＹＥＳ）、ステップＳ３２において、スイッチ２４をオフに切換える。電子機器１は、ステップＳ３４において、ＬＥＤ２２２の発光を停止する。
【００６９】
電子機器１は、閾値Ｔｈ２以下であると判断した場合（ステップＳ２８においてＮＯ）、処理をステップＳ３６に進める。また、電子機器１は、スイッチ２４がオフであると判断した場合（ステップＳ３０においてＮＯ）、処理をステップＳ３６に進める。
【００７０】
ステップＳ３６において、電子機器１は、充電が中止されたか否を判断する。電子機器１は、充電が中止されたと判断した場合（ステップＳ３６においてＹＥＳ）、処理をステップＳ３８に進める。電子機器１は、充電が続いていると判断した場合（ステップＳ３６においてＮＯ）、処理をステップＳ２０に進める。
【００７１】
ステップＳ３８において、電子機器１は、電子機器１の電源をオフする入力を受け付けたか否かを判断する。電子機器１は、入力を受け付けたと判断した場合（ステップＳ３８においてＹＥＳ）、電源をオフして、処理を終了する。電子機器１は、入力を受け付けていないと判断した場合（ステップＳ３８においてＮＯ）、処理をステップＳ６に進める。
【００７２】
なお、閾値Ｔｈ１と閾値Ｔｈ２との値は、互いに異なっていてもよいし、互いに同じであってもよい。以下の実施の形態２においても、同様である。
【００７３】
［実施の形態２］
図６は、本実施の形態に係る電子機器１Ａのハードウェア構成を示した図である。図６を参照して、電子機器１Ａは、充電回路１１と、電池１２と、ダイオード１３と、ＤＣ／ＤＣコンバータ１５と、充電回路２１と、電池２２と、ダイオード２３と、ＤＣ／ＤＣコンバータ２５と、第１装置１００と、第２装置２００と、切換装置３４とを備える。
【００７４】
電子機器１Ａは、切換装置３４を含み、かつスイッチ１４,２４を含まない点において、実施の形態１の電子機器１とは異なる。なお、電子機器１Ａの概観は、図１に示したものと同様である。以下では、主として、実施の形態１と異なる構成について説明する。
【００７５】
ＣＰＵ２０１は、汎用Ｉ／Ｏポート２３２を介して、切換装置３４に制御信号を送信する。
【００７６】
切換装置３４は、電池１２と電池２２と第１装置１００と第２装置２００とに接続されている。詳しくは、切換装置３４は、ダイオード２３とＤＣ／ＤＣコンバータ２５との間の位置Ｐ２４で経路Ｌ２に接続され、ダイオード１３とＤＣ／ＤＣコンバータ１５との間の位置Ｐ１４で経路Ｌ１に接続されている。
【００７７】
切換装置３４は、ＣＰＵ２０１からの制御信号に基づき、切換装置３４における切換状態を第１の状態（オン状態）または第２の状態（オフ状態）にする。切換装置３４は、第１の状態になることにより、電池２２と第１装置１００とを接続状態にし、かつ電池１２と第２装置２００とを接続状態とする。切換装置３４は、第２の状態になることにより、電池２２と第１装置１００との接続を遮断状態にし、かつ電池１２と第２装置２００との接続を遮断状態にする。
【００７８】
つまり、切換装置３４においては、第１の状態では、電池２２から第１装置１００に電力が供給され、電池１２から第２装置２００に電力が供給される。一方、第２の状態では、電池２２から第１装置１００への電力の供給、および電池１２から第２装置２００への電力の供給は行なわれない。
【００７９】
ＣＰＵ２０１は、切換装置３４における第１の状態と第２の状態との間の切換動作を、電圧検出回路２４０が検出した電圧に基づき実行させる。当該処理については後述する。
【００８０】
図７は、切換装置３４の具体的構成の一例を示した図である。図７を参照して、切換装置３４は、スイッチ３４１とスイッチ３４２とにより構成される。スイッチ３４１およびスイッチ３４２は、Ｐ型のパワーＭＯＳＦＥＴである。
【００８１】
電子機器１Ａでは、スイッチ３４１のゲートＧとスイッチ３４２のゲートＧとが、汎用Ｉ／Ｏポート２３２に接続される。また、スイッチ３４１のドレインとスイッチ３４２のドレインとが接続されている。さらに、スイッチ３４１のソースＳが位置Ｐ１４側であり、スイッチ３４２のソースＳが位置Ｐ２４側である（図６参照）。ＣＰＵ２０１が、制御信号として両ゲートＧに一定の値以下のマイナス電圧を印加することにより、スイッチ３４１のソースＳとスイッチ３４２のソースＳとの間に電流が流れる。
【００８２】
なお、スイッチ３４１およびスイッチ３４２は、Ｐ型のパワーＭＯＳＦＥＴに限定されるものではない。スイッチ３４１およびスイッチ３４２は、ｎ型のパワーＭＯＳＦＥＴであってもよい。スイッチ３４１およびスイッチ３４２は、パワーＭＯＳＦＥＴ以外のＭＯＳＦＥＴであってもよい。スイッチ３４１およびスイッチ３４２は、ＣＰＵ２０１からの制御により接点がオン・オフする素子であればよい。
【００８３】
図８は、電子機器１Ａの機能的構成を説明するためのブロック図である。図８を参照して、電子機器１Ａは、電圧検出回路２４０と、切換装置３４と、液晶ディスプレイ１０１と、記憶装置４００と、ＬＥＤ２１２と、ＬＥＤ２２２と、制御部３００Ａとを備える。制御部３００Ａは、電池監視部３１０と、切換制御部３３０とを備える。なお、電子機器１Ａでは、判断部３１２は判断結果を切換制御部３３０に送る。
【００８４】
切換制御部３３０は、電池１２の残量が閾値Ｔｈ１よりも大きく、かつ電池２２の残量が閾値Ｔｈ２よりも大きい場合には、切換装置３４を上記第２の状態にさせる。切換制御部３３０は、電池の１２残量が閾値Ｔｈ１以下の場合、および電池２２の残量が閾値Ｔｈ２以下の場合の少なくともいずれかの場合には、切換装置３４を上記第１の状態にさせる。
【００８５】
具体的には、切換制御部３３０は、電池１２の残量が閾値Ｔｈ１よりも大きく、かつ電池２２の残量が閾値Ｔｈ２よりも大きい場合には、スイッチ３４１とスイッチ３４２とをオフさせる。切換制御部３３０は、電池の１２残量が閾値Ｔｈ１以下の場合、および電池２２の残量が閾値Ｔｈ２以下の場合の少なくともいずれかの場合には、スイッチ３４１とスイッチ３４２とをオンさせる。
【００８６】
それゆえ、電子機器１Ａは、電池１２の残量が少なくなった場合には、電池２２から第１装置１００への給電を行なうことができ、電池２２の残量が少なくなった場合には、電池１２から第２装置２００への給電を行なうことができる。
【００８７】
図９は、電子機器１Ａで行なわれる処理の流れの前半を示したフローチャートである。図９を参照して、電子機器１Ａの電源ボタンがオンされると、ステップＳ１０２において、電池１２は第１装置１００に対して電力の供給を開始し、電池２２は第２装置２００に対して電力の供給を開始する。ステップＳ１０４において、電子機器１Ａは、電池１２の残量および電池２２の残量を検出する。
【００８８】
ステップＳ１０６において、電子機器１Ａは、電池１２の残量が閾値Ｔｈ１以下であるか否かを判断する。電子機器１Ａは、閾値Ｔｈ１以下であると判断した場合（ステップＳ１０６においてＹＥＳ）、ステップＳ１０８において、スイッチ３４１，３４２をオフからオンに切換える。ステップＳ１１０において、電子機器１Ａは、ＬＥＤ２１２を発光させる。電子機器１Ａは、閾値Ｔｈ１以下ではないと判断した場合（ステップＳ１０６においてＮＯ）、処理をステップＳ１１２に進める。
【００８９】
ステップＳ１１２においては、電子機器１Ａは、電池２２の残量が閾値Ｔｈ２以下であるか否かを判断する。電子機器１Ａは、閾値Ｔｈ２以下であると判断した場合（ステップＳ１１２においてＹＥＳ）、ステップＳ１１４において、スイッチ３４１，３４２をオフからオンに切換える。なお、ステップＳ１０８において既にスイッチ３４１，３４２がオンとなっている場合には、ステップＳ１１４においては、オフからオンへの切換えはおこなわれない。ステップＳ１１６において、電子機器１Ａは、ＬＥＤ２２２を発光させる。電子機器１Ａは、閾値Ｔｈ２以下ではないと判断した場合（ステップＳ１１２においてＮＯ）、処理をステップＳ１１８に進める。
【００９０】
ステップＳ１１８において、電子機器１Ａは、電池１２および電池２２の充電が開始されているか否かを判断する。電子機器１Ａは、充電が開始されていると判断した場合（ステップＳ１１８においてＹＥＳ）、処理をステップＳ１２０（図１０参照）に進める。電子機器１Ａは、充電が開始されていないと判断した場合（ステップＳ１１８においてＮＯ）、ステップＳ１３８において、電子機器１Ａの電源をオフする入力を受け付けたか否かを判断する。
【００９１】
電子機器１Ａは、入力を受け付けたと判断した場合（ステップＳ１３８においてＹＥＳ）、電源をオフして、処理を終了する。電子機器１Ａは、入力を受け付けていないと判断した場合（ステップＳ１３８においてＮＯ）、処理をステップＳ１０６に進める。
【００９２】
図１０は、電子機器１Ａで行なわれる処理の流れの後半を示したフローチャートである。図１０を参照して、ステップＳ１２０において、電池１２の残量が閾値Ｔｈ１よりも大きいか否かを判断する。電子機器１Ａは、閾値Ｔｈ１よりも大きいと判断した場合（ステップＳ１２０においてＹＥＳ）、ステップＳ１２２において、ＬＥＤ２１２をオフとする。ステップＳ１２４において、電子機器１Ａは、電池２２の残量が閾値Ｔｈ２よりも大きいか否かを判断する。電子機器１Ａは、閾値Ｔｈ２よりも大きいと判断した場合（ステップＳ１２４においてＹＥＳ）、ステップＳ１２６において、ＬＥＤ２２２をオフとする。
【００９３】
ステップＳ１２８において、電子機器１Ａは、スイッチ３４１，３４２がオン状態であるか否かを判断する。電子機器１Ａは、スイッチ３４１，３４２がオン状態であると判断した場合（ステップＳ１２８においてＹＥＳ）、ステップＳ１３０において、スイッチ３４１，３４２をオフに切換える。その後、電子機器１は、処理をステップＳ１３６に進める。
【００９４】
電子機器１Ａは、閾値Ｔｈ２以下であると判断した場合（ステップＳ１２４においてＮＯ）、スイッチ３４１，３４２がオン状態でないと判断した場合（ステップＳ１２８においてＮＯ）には、処理をステップＳ１３６に進める。
【００９５】
電子機器１Ａは、閾値Ｔｈ１以下である判断した場合（ステップＳ１２０においてＮＯ）、ステップＳ１３２において、電池２２の残量が閾値Ｔｈ２よりも大きいか否かを判断する。電子機器１Ａは、閾値Ｔｈ２よりも大きいと判断した場合（ステップＳ１３２においてＹＥＳ）、ステップＳ１３４において、ＬＥＤ２２２をオフとする。電子機器１Ａは、閾値Ｔｈ２以下であると判断した場合（ステップＳ１３２においてＮＯ）、処理をステップＳ１３６に進める。
【００９６】
ステップＳ１３６において、電子機器１Ａは、充電が中止されたか否を判断する。電子機器１Ａは、充電が中止されたと判断した場合（ステップＳ１３６においてＹＥＳ）、処理をステップＳ１３８（図９参照）に進める。電子機器１Ａは、充電が続いていると判断した場合（ステップＳ１３６においてＮＯ）、処理をステップＳ１２０に進める。
【００９７】
＜変形例＞
（１）上記においては、電圧検出回路２４０が検出した電圧に基づいて電池監視部３１０が電池１２の残量および電池２２残量を判断する構成を例に挙げて説明したが、これに限定されるものではない。
【００９８】
たとえば電池１２および電池２２を、残量を管理する機構を備えるように構成した場合、電池１２，２２が電池監視部３１０の通信制御部（図示せず）に対して各電池１２，２２の残量の情報を送信するようにしてもよい。この場合、電池監視部３１０の判断部３１２は、当該受信した残量の情報に基づいて、上述した判断を行なえばよい。
【００９９】
また、たとえば充電回路１１を電池１２の残量を管理する機構を備えさせ、充電回路２１を電池２２の残量を管理する機構を備えさせた場合、充電回路１１，２１が電池監視部３１０の上述した充電制御部に対して各電池１２，２２の残量の情報を送信するようにしてもよい。なお、この場合、電池監視部３１０の判断部３１２は、当該受信した残量の情報に基づいて、上述した判断を行なえばよい。
【０１００】
（２）また、電子機器１において、充電回路１１および電池１２に並列に３つ目のスイッチを設け、充電回路２１および電池２２に並列に４つ目のスイッチを設けてもよい。このような構成の場合、電子機器１は、ＡＣアダプタを介した充電が開始されると当該３つ目のスイッチおよび４つ目のスイッチをオン（閉）することにより、ＡＣアダプタから、充電回路１１、電池１２、充電回路２１、および電池２２を介することなく、第１装置１００および第２装置２００に電力を供給することができる。
【０１０１】
なお、電子機器１Ａについても、充電回路１１および電池１２に並列に２つ目のスイッチを設け、充電回路２１および電池２２に並列に３つ目のスイッチを設け、電子機器１と同様の制御を行なってもよい。
【０１０２】
（３）実施の形態１では、スイッチ１４とスイッチ２４とを用い、実施の形態２では、スイッチ３４１とスイッチ３４２とを用いた。それぞれ同じ物を用いた場合にスイッチ１４およびスイッチ２４をオンする場合、スイッチ３４１およびスイッチ３４２をオンする場合よりも、オン抵抗が小さくなる。このため、実施の形態１の電子機器１の方が、実施の形態２の電子機器１Ａよりも電池の利用効率を高くすることができる。
【０１０３】
（４）上記においては、電子機器１，１Ａが電池１２，２２を充電可能な構成として説明したが、これに限定されるものではない。電子機器１，１Ａが電池１２，２２を充電不能な構成としてもよい。この場合、充電回路１１，２１は、不要となる。
【０１０４】
（５）上記においては、ＬＥＤ２１２により電池１２の残量が閾値Ｔｈ１以下になったことを通知し、ＬＥＤ２２２により電池２２の残量が閾値Ｔｈ２以下になったことを通知する構成を例に挙げて説明した。しかしながら、電池の残量のユーザへの通知は、当該方法に限定されるものではない。
【０１０５】
電子機器１，１Ａは、たとえば、液晶ディスプレイ１０１、あるいは電子機器１，１Ａに含まれる図示しない他のディスプレイに、上記通知を行なわせてもよい。
【０１０６】
（６）上記においては、電子機器１，１Ａがダイオード１３，２３を備える構成を例に挙げたが、ダイオード１３，２３に限定されるものではない。電池１２，２２への電流の流れ込みを防止できる素子であればよい。
【０１０７】
（７）上記においては、表示装置として、液晶ディスプレイ１０１とバックライト１０２とを備える構成を例に挙げて説明したが、これに限定されるものではない。表示装置として、たとえば、有機ＥＬ（electroluminescence）ディスプレイを用いてもよい。
【０１０８】
（８）上記においては、第１装置１００が液晶ディスプレイ１０１とバックライト１０２とを備え、第２装置が構成要素２０１〜２０７，２１２，２２２，２３１，２３２，２４０を備える構成を例に挙げて説明したが、これに限定されるものではない。第１装置に含まれる構成要素と、第２装置とに含まれる構成要素とは、電子機器１，１Ａの設計段階において適宜設定可能である。
【０１０９】
（９）上記においては、電子機器１，１Ａが２つの電池１２，２２を備える構成を例に挙げて説明したが、これに限定されるものでない。３つ以上の電池を備えるように電子機器１，１Ａを構成してもよい。
【０１１０】
＜付記＞
（１）電子機器は、第１の電池と、第２の電池と、前記第１の電池に接続された第１の装置と、前記第２の電池に接続された第２の装置と、前記第２の電池と前記第１の装置とに接続された第１のスイッチと、前記第１の電池と前記第２の装置とに接続された第２のスイッチと、前記第１のスイッチおよび前記第２のスイッチの各々を、オンまたはオフさせるスイッチ制御手段と、前記第１の電池の残量および前記第２の電池の残量を検出する検出手段とを備える。前記第１のスイッチは、オンすることにより前記第２の電池と前記第１の装置とを接続状態とし、前記第２のスイッチは、オンすることにより前記第１の電池と前記第２の装置とを接続状態とする。
【０１１１】
前記スイッチ制御手段は、前記第１の電池の残量が予め定められた第１の値よりも大きい場合には前記第１のスイッチをオフさせ、前記第１の電池の残量が前記第１の値以下の場合には前記第１のスイッチをオンさせる。また、前記スイッチ制御手段は、前記第２の電池の残量が予め定められた第２の値よりも大きい場合には前記第２のスイッチをオフさせ、前記第２の電池の残量が前記第２の値以下の場合には前記第２のスイッチをオンさせる。
【０１１２】
（２）電子機器は、第１の電池と、第２の電池と、前記第１の電池に接続された第１の装置と、前記第２の電池に接続された第２の装置と、前記第１の電池と前記第２の電池と前記第１の装置と前記第２の装置とに接続された切換装置と、前記切換装置の切換状態を第１の状態または第２の状態にさせる切換制御手段と、前記第１の電池の残量および前記第２の電池の残量を検出する検出手段とを備える。
【０１１３】
前記切換装置は、前記第１の状態になることにより、前記第２の電池と前記第１の装置とを接続状態にし、かつ前記第１の電池と前記第２の装置とを接続状態とする。また、前記切換装置は、前記第２の状態になることにより、前記第２の電池と前記第１の装置との接続を遮断状態にし、かつ前記第１の電池と前記第２の装置との接続を遮断状態にする。
【０１１４】
前記切換制御手段は、前記第１の電池の残量が予め定められた第１の値よりも大きく、かつ前記第２の電池の残量が予め定められた第２の値よりも大きい場合には、前記切換装置を前記第２の状態にさせる。また、前記切換制御手段は、前記第１の電池の残量が予め定められた第１の値以下の場合、および前記第２の電池の残量が予め定められた第２の値以下の場合の少なくともいずれかの場合には、前記切換装置を前記第１の状態にさせる。
【０１１５】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１１６】
１，１Ａ  電子機器、１１，２１  充電回路、１２，２２  電池、１３，１６，２３，２６  ダイオード、１４，２４，３４１，３４２  スイッチ、１５，２５  コンバータ、３４  切換装置、１００  第１装置、１０１  液晶ディスプレイ、１０２  バックライト、２００  第２装置、２４０  電圧検出回路、３００，３００Ａ  制御部、３１０  電池監視部、３１１  残量検出部、３１２  判断部、３２０  スイッチ制御部、３３０  切換制御部、４００  記憶装置、Ｄ  ドレイン、Ｇ  ゲート、Ｌ１，Ｌ２  経路、Ｓ  ソース。
【図１】
2012023800.tif 000003
【図２】
2012023800.tif 000004
【図３】
2012023800.tif 000005
【図４】
2012023800.tif 000006
【図５】
2012023800.tif 000007
【図６】
2012023800.tif 000008
【図７】
2012023800.tif 000009
【図８】
2012023800.tif 000010
【図９】
2012023800.tif 000011
【図１０】
2012023800.tif 000012
【図１１】
2012023800.tif 000013